(57)【要約】      （修正有）【課題】大電流の高速充電を実現できるプラグコネクタを提供する。【解決手段】正逆の両方向に、ソケットコネクタに插入可能なプラグコネクタ１００であって、絶縁性本体、及び、それぞれ絶縁性本体に固持される両列の導電端子を含み、両列の導電端子は、左右相反に対称するように配置され、各導電端子は、接触部と、接触部と接続する弾性部と、尾部、及び、弾性部と尾部との間に設けられた接続部、を含み、導電端子は、電源端子を含み、電源端子の弾性部、接続部及び尾部は、ともに電源端子の接触部より増大設置される広さを有する。【選択図】図５
2018006345.tif 000002
【特許請求の範囲】
【請求項１】
正逆の両方向で、一つのソケットコネクタに插入可能なプラグコネクタであって、  
絶縁性本体、及び、それぞれ前記絶縁性本体に固持される両列の導電端子を含み、  
前記両列の導電端子は、左右相反に対称するように配置され、  
各導電端子は、接触部と、接触部と接続する弾性部と、尾部、及び、前記弾性部と前記尾部との間に設けられた接続部を含み、  
前記導電端子は、電源端子を含み、  
前記電源端子の弾性部、接続部及び尾部は、ともに前記電源端子の接触部のより増大設置される広さを有する、ことを特徴とするプラグコネクタ。  
【請求項２】
前記導電端子は、接地端子を含み、  
前記接地端子の弾性部と、接続部及び尾部は、ともに広さが増加して接触部の広さより大きく、且つ、前記電源端子と接地端子の弾性部と、接続部及び尾部の広さは、他の導電端子の相応する広さより大きい、ことを特徴とする請求項１に記載のプラグコネクタ。  
【請求項３】
前記接地端子及び電源端子の弾性部の広さは、前記接続部から前記接触部の方向に向けて次第に減少する、ことを特徴とする請求項１に記載のプラグコネクタ。  
【請求項４】
前記導電端子は、更に、信号端子を含み、  
前記同一列の接地端子と電源端子との間は、共に2つ導電端子の位置を隔てられ、前記一側の電源端子と相隣する信号端子との間は、1つ導電端子の位置を隔てられる、ことを特徴とする請求項１に記載のプラグコネクタ。  
【請求項５】
前記導電端子の接続部は、直板状に前記絶縁性本体に埋設され、前記尾部は、絶縁性本体から伸出され、且つ、内に向いて突出する突起部を含み、  
前記突起部は、前記絶縁性本体の後端面から完全に露出され、前記両列の導電端子の突起部の間には、1つの回路基板の収納空間が形成される、ことを特徴とする請求項１に記載のプラグコネクタ。  
【請求項６】
前記導電端子の接触部と弾性部の厚さは、前記接続部と尾部の厚さより小さい、ことを特徴とする請求項１に記載のプラグコネクタ。  
【請求項７】
前記絶縁性本体の後端面に、前記導電端子を収納する、尾部から伸出する幾つかの端子穿孔が設けられ、前記端子穿孔は、上及び下の両列に設けられ、両側に位置される、前記接地端子と電源端子を収納する端子穿孔は、他の導電端子を収納する端子穿孔より広い、ことを特徴とする請求項１に記載のプラグコネクタ。  
【請求項８】
プラグコネクタであって、絶縁性本体、及び、それぞれ前記絶縁性本体の上及び下の両側に固持される両列の導電端子を含み、  
前記両列の導電端子は、正逆の両方向でソケットコネクタへ插入可能に、左右相反に対称するように配置され、前記絶縁性本体の上表面及び下表面には、それぞれ前記導電端子を収納する凹溝及び幾つかの分離部が設けられ、前記凹溝は、幾つかの分離部により、幾つかの収納孔に分離され、前記導電端子は、電源端子を含み、  
両側に位置される、電源端子に対応する収納孔は、中間に位置される収納孔より広い、ことを特徴とするプラグコネクタ。  
【請求項９】
前記導電端子は、更に、接地端子有し、両側に位置される、接地端子に対応する収納孔は、中間に位置される収納孔より広い、ことを特徴とする請求項８に記載のプラグコネクタ。  
【請求項１０】
前記収納孔の広さは、前から後に向けて次第に増大し、前記導電端子は、接触部と弾性部を有し、前記弾性部は、それぞれ前記収納孔から露出され、且つ、上下方向における弾性空間を有する、ことを特徴とする請求項８に記載のプラグコネクタ。  
【発明の詳細な説明】
【技術分野】
【０００１】
本発明はプラグコネクタに関し、特に、正面で或は反面で插入可能なプラグコネクタに関する。
【背景技術】
【０００２】
中国特許第CN105337108には、正面で或は反面で插入可能なソケットコネクタが開示されている。前記プラグコネクタは、絶縁性本体と、絶縁性本体に設けられる両列の導電端子と、絶縁片及び、絶縁性本体に覆設される遮蔽殻体を含む。前記導電端子は、具有接触部、溶接部及び前記接触部と溶接部とを接続する接続部を有する。前記導電端子中の信号端子の接続部の広さは、溶接部と接触部により小さい。また、中国実用新案第CN20720620号には、正面で或は反面で插入可能なソケットコネクタが開示されている。前記ソケットコネクタは、殻体と、上絶縁性本体と、第一端子と、下絶縁性本体と、金属絶縁層及び第二端子を含む。下接地端子の接地ベースと、下電源信号端子の電源信号ベースと、下接地端子の主体部と、下電源信号端子の主体部中の少なくとも一つは拡幅部である。中国特許第CN105322327号には、正面で或は反面で插入可能なプラグコネクタが開示されている。前記プラグコネクタは、プラスチック本体と、プラスチック本体の上及び下に設けられる両列の導電端子、及び、前記プラスチック本体の外に設けられる金属外殻を有する。前記導電端子接触部、中間部及び接続部を有する。同一の導電端子に位置する接触部と、中間部と、接続部の広さは略一致する。  
【０００３】
しかし、このような製品に対し高速の充電が求められ、上述のプラグコネクタのプラグ端は、大電流の高速充電の需要を満足させることができなかった。  
そこで、上述の問題を克服するための新しいプラグコネクタを提供する必要があった。
【発明の概要】
【発明が解決しようとする課題】
【０００４】
本発明は、大電流の高速充電を実現できるプラグコネクタを提供することを目的とする。
【課題を解決するための手段】
【０００５】
本発明の目的を達成するために、本発明のプラグコネクタは、正逆の両方向に、ソケットコネクタに插入可能なプラグコネクタであって、絶縁性本体、及び、それぞれ前記絶縁性本体固持される両列の導電端子を含み、前記両列の導電端子は、左右相反に対称するように配置され、各導電端子は、接触部と、接触部と接続する弾性部と、尾部及び、前記弾性部と前記尾部との間に設けられた接続部を含み、前記導電端子は、電源端子を含み、前記電源端子の弾性部、接続部及び尾部は、ともに前記電源端子の接触部より増大設置される広さを有する、プラグコネクタを提供する。  
【０００６】
更に、前記導電端子は、接地端子を含み、前記接地端子の弾性部と、接続部及び尾部は、ともに広さが増加して接触部の広さより大きく、且つ、前記電源端子と接地端子の弾性部と、接続部及び尾部の広さは、他の導電端子の相応する広さより大きい。  
【０００７】
更に、前記接地端子と電源端子の弾性部の広さは、前記接続部から前記接触部の方向に向けて次第に減少する。  
【０００８】
更に、前記導電端子は、更に、信号端子を含み、前記同一列の接地端子と電源端子の間は、共に2つの導電端子の位置を隔てられ、前記一側の電源端子と相隣する信号端子との間は、間隔1つの導電端子の位置を間に隔てられる。  
【０００９】
前記導電端子の接続部は、直板状に前記絶縁性本体に埋設され、前記尾部は、絶縁性本体から露出され、且つ、内に向いて突出する突起部を含み、前記突起部は、前記絶縁性本体の後端面から完全に露出され、前記両列の導電端子の突起部の間には、1つの回路基板の収納空間が形成される。  
【００１０】
更に、前記導電端子の接触部と弾性部の厚さは、前記接続部と尾部の厚さより小さい。  
【００１１】
更に、前記絶縁性本体の後端面に、前記導電端子を収納する、尾部から伸出する幾つかの端子穿孔が設けられ、前記端子穿孔は、上及び下の両列に設けられ、両側に位置される、前記接地端子と電源端子を収納する端子穿孔は、他の導電端子を収納する端子穿孔より広い。  
【００１２】
本発明の目的を達成するために、本発明は、プラグコネクタを提供し、前記プラグコネクタは、絶縁性本体、及び、それぞれ前記絶縁性本体の上及び下の両側に固持される両列の導電端子を含み、前記両列の導電端子は、正逆の両方向にソケットコネクタへ插入可能に、左右相反に対称するように配置され、前記絶縁性本体の上表面及び下表面には、それぞれ前記導電端子を収納する凹溝及び幾つかの分離部が設けられ、前記凹溝は、幾つかの分離部により、幾つかの収納孔に分離され、前記導電端子は、電源端子を含み、  
両側に位置される、電源端子に対応する収納孔は、中間に位置される収納孔より広い。  
【００１３】
更に、前記導電端子は、更に、接地端子を含み、両側に位置される、接地端子に対応する収納孔は、中間に位置される収納孔より広い。  
【００１４】
更に、記収納孔の広さは、前から後に向けて次第に増大し、前記導電端子は、接触部と弾性部とを含み、前記弾性部は、それぞれ前記収納孔から露出され、且つ、上下方向における弾性空間を有する。  
【００１５】
従来技術に比較すると、本発明は、本発明のプラグコネクタは、本来のUSB Type C標準規格の電源端子と接地端子の広さを増加させるとともに、導電端子の前端を薄くすることで、大電流の伝送が便利になり、下降の幅を改善し、且つ、導電端子の作動温度を下降させる。また、絶縁性本体上の凹溝が導電端子の拡幅部分に合わせて分離部分を減少させ、収納孔を拡幅させ、弾性部の弾性空間を増加させることで、生産性を向上させる。  
【図面の簡単な説明】
【００１６】
【図１】本発明のプラグコネクタとケーブルアセンブリの成形後の立体図である。
【図２】本発明のプラグコネクタと回路基板とが接続した立体図である。
【図３】本発明のプラグコネクタの部分的な立体分解図である。
【図４】図3の他の方向からの立体分解図である。
【図５】図3の更なる立体分解図である。
【図６】図5の他の方向からの立体分解図である。
【図７】本発明のプラグコネクタの一列の導電端子の平面図である。
【図８】本発明のプラグコネクタの絶縁性本体の背面図である。
【具体実施方式】
【００１７】
以下、図面を参照しながら、本発明の実施例を具体的に説明する。  
以下、図1〜図8を用いて本発明のプラグコネクタ100の具体的な実施形態を紹介する。前記プラグコネクタ100とケーブルアセンブリ200は一体成型され、前記ケーブルアセンブリ200内には、プラグコネクタ100と接続する回路基板300がさらに設けられる。前記プラグコネクタ100とソケットコネクタとが結合するポートが結合端であると定義する。前後に結合する接合方向、左右の横切方向、及び、接合方向と横切方向ともに垂直する上下の鉛直方向を規定し、前記接合方向と横切方向における面は水平面を構成する。前記プラグコネクタ100は、正方向または逆方向にソケットコネクタに挿入可能である。  
【００１８】
図1〜図7に示すように、本発明のプラグコネクタ100は、絶縁性本体1と、絶縁性本体1上に固持される両列の導電端子2と、導電端子2と一体成型される絶縁部材3と、前記両列の導電端子2の間に設置される金属ロック部材4と、外に覆設される金属殻体5、及び、絶縁性本体1上に設けられとともに金属殻体5と電気的接続される接地部材6を含む。  
【００１９】
図3〜図6に示すように、前記絶縁性本体1は、略楕円形套管状であり、上下に対向設置される頂壁11及び底壁12と、前記頂壁11と前記底壁12とを接続する一対の平行間隔で設けられる側壁13を含む。前記頂壁11と、底壁12及び一対の側壁13に囲まれて収容空間10が形成される。前記絶縁性本体1は、さらに、前部102及び後部104を含み、前記収容空間10は、前記前部102に設けられる前開口部101、及び、前記後部104に設けられる後開口部103に分けられる。前記頂壁11の前端には、前記収容空間10の前部102と貫通する第一凹溝110が設けられる。前記底壁12の前端には、前記収容空間10の前部102と貫通する第二凹溝120が設けられる。前記第一凹溝110は、幾つかの第一分離部111により、幾つかの第一収納孔112に分離され、前記第二凹溝120は、幾つかの第二分離部121により、幾つかの第二収納孔122に分離され、前記導電端子2は、それぞれ前記第一収納孔112と第二収納孔122から露出される。第一分離部111と第二分離部121において、両側の広さは、中間の広さより大きい。前記第一凹溝110と第二凹溝120は、接合方向において延伸される。前記一対の側壁13には、ともに絶縁性本体1の末端から前に向けて延伸される第三凹溝130が設けられ、前記第三凹溝130は、絶縁性本体1の前端縁を貫通するまで延伸されない。前記第三凹溝130と収容空間10の前部102及び後部104ともに貫通する。前記頂壁11及び底壁12の前端ともに前記接地部材6に対応する幾つかの貫通孔105が空けられる。前記一対の側壁13は、接合方向において後に向けて前記頂壁11及び底壁12から伸出される。図8に示すように、前記絶縁性本体1の後端面には、上列及び下列の端子穿孔106が設けられる。前記端子穿孔106の横切方向における広さは完全に一致してはいない。  
【００２０】
前記導電端子2は、前記絶縁性本体1の第一凹溝110内に設けられる第一端子21、及び、前記絶縁性本体1の第二凹溝120内に設けられる第二端子22を含む。前記第一端子21は、延伸して収容空間10に進入する前部102の第一接触部211と、後に延伸され且つ前記絶縁性本体1を穿出する端子穿孔106の第一尾部213と、前記第一尾部213と接続する第一接続部212、及び、前記第一接触部211と前記第一接続部212との間に設けられる第一弾性部214を含む。前記第二端子22は、延伸して収容空間10に進入する前部102の第二接触部221と、後に延伸し且つ前記絶縁性本体1を穿出する端子穿孔106の第二尾部223と、前記第二尾部223と接続する第二接続部222、及び、前記第二接触部221と前記第二接続部222との間に設けられる第二弾性部224を含む。前記第一尾部213と第二尾部223とにはそれぞれ内に向けて突出される第一突起部215と第二突起部225が設けられる。前記第一突起部215と第二突起部225は、ともに前記絶縁性本体1の後端面から完全に露出され、且つ上下に挟持される前記回路基板300の回路基板収納空間を形成する。前記第一接触部211と前記第二接触部221とが、収容空間10内にむけて突出されることで、ソケットコネクタと電気的接続され、前記第一弾性部214と第二弾性部224は、前記絶縁性本体1の第一収納孔112と第二収納孔122から露出されて上下方向において弾性変位空間を有する。前記第一端子21の第一接触部211と第二端子22の第二接触部221は、上下方向において分離設置される。前記第一接触部211と第二接触部221とは、上下に逆方向に対称するように設けられることで、コネクタを正方向または逆方向への挿入に関わらず、プラグコネクタ100の第一接触部211及び第二接触部221が、ソケットコネクタの対応する接触部と、正確且つ位置合わせるように電気的接続される。  
【００２１】
図3〜図7に示すように、前記第一端子21と前記第二端子22ともに七本設けられ、左から右の順番で接地端子、電源端子、正信号端子、逆信号端子、拓展端子、電源端子及び接地端子である。前記第一端子21の接地端子と電源端子の第一接続部212、第一尾部213及び第一弾性部214は、それぞれ拡幅設置されてその第一接触部211より広い広さを有し、第一接続部212、第一尾部213、第一弾性部214をさらに拡幅させることで、前記第一接続部212、前記第一尾部213、前記第一弾性部214の広さが、従来の正面で或は反面で插入可能なプラグコネクタの等幅の端子の広さより大きく、前記プラグコネクタ100が、従来の正面で或は反面で插入可能なプラグコネクタより大きい電流伝送能力を有する。前記第一端子21の接地端子と電源端子の第一接続部212、第一尾部213及び第一弾性部214は、他の第一端子21より広い。前記第一端子21の接地端子と電源端子の第一弾性部214の広さは、前記第一接続部212から前記第一接触部211方向に向けて次第に減少する。前記第一接触部211と前記第一弾性部214の厚さともに、前記第一接続部212と前記第一尾部213より小さい。前記第二端子22も、上記の特性を有していることで、前記導電端子2が大電流を伝送することでできる。前記第一端子21及び前記第二端子22の接地端子と電源端子との間は、ともに2つの導電端子2の位置を隔てられ、前記一側の電源端子と相隣する信号端子との間には、1つの導電端子2の位置を隔てられる。  
【００２２】
前記絶縁部材3は、第一端子21を固定する上絶縁座31と第二端子22を固定する下絶縁座32を含む。前記上絶縁座31の上表面の後端には、上に向けて前記横切方向に沿って延伸される第一当接部311が突設され、下表面には、外に向けて突出される幾つかの第一凸柱312及び幾つかの第一収容溝313が設けられる。前記下絶縁座32の後端の両側には、外に向けて第二当接部321が突設される。前記下絶縁座32の下表面の後端には、下に向けて第二凸柱322が突設され、上表面には、内に向けて突出する幾つかの第二凸柱322及び幾つかの第二収容溝323が設けられる。前記第一凸柱312は、前記第二収容溝323に収容され係合し、前記第二凸柱322前記第一収容溝313に収容され係合することで、前記上絶縁座31と下絶縁座32が安定的に固持される。前記第一当接部311と第二当接部321が、それぞれ前記絶縁性本体1の後部104の後端縁に係着することで、前記絶縁部材3と前記絶縁性本体1とが安定的にラッチされる。  
【００２３】
前記金属ロック部材4は、横切方向沿って延伸される支持部41及び支持部41の両端からそれぞれ前後に延伸されるロックアーム42を含む。前記金属ロック部材4は、収容空間10の後部104の後開口部103により、後から前に向けて前記絶縁性本体1に取り込み、前記一対のロックアーム42は、それぞれ相応する第三凹溝130に収容される。前記支持部41には、幾つかの譲位孔411が設けられ、前記譲位孔411も切り欠き状に設けられてもよい。前記上絶縁座31の第一凸柱312は、譲位孔411により前記下絶縁座32の第二収容溝323に収容されて当着され、前記下絶縁座32の第二凸柱322は、前記譲位孔411により前記上絶縁座31の第一収容溝313に収容されて当着されることで、前記上絶縁座31と、下絶縁座32及び前記金属ロック部材4が安定的固持される。前記一対のロックアーム42には、それぞれ前端に位置され内に向けて突出されるラッチ部421及び後端に位置される挟持部422が設けられる。前記ラッチ部421は対向するように設けられ、ソケットコネクタをラッチすることで、安定的に固持する。図2に示すように、前記一対の挟持部422中の一方は、上に向けて延伸して前記支持部41より高く、他の一方は、下に向けて延伸して前記支持部41より低く、これにより、上下に前記回路基板300を挟持することができる。  
【００２４】
前記金属殻体5は、楕円形套管構造であり、前記金属殻体5は、前記絶縁性本体1の頂壁11、底壁12及び側壁13を覆うように設けられる。  
【００２５】
前記接地部材6は、一対に設けられ、それぞれ上下方向に沿って前記絶縁性本体1の頂壁11及び底壁12に収容される。前記接地部材6は、平板状の筐体部61と、筐体部61両側から外側に向けて延伸し、且つ絶縁性本体1に取り付けるための取付部62と、筐体部61前端から延伸して収容空間10に進入する接地弾性アーム63、及び、前記筐体部61の後端から後に向けて延伸される圧着部64を含む。前記接地弾性アーム63は、絶縁性本体1に固持され、前記絶縁性本体1の貫通孔105を貫通してソケットコネクタと組み合わせる。前記接合地件6の接地弾性アーム63は、上下方向において、対向するように設けられる。前記接合地件6の接地弾性アーム63の上下方向におけるピッチは、第一端子21の第一接触部211と第二端子22の第二接触部221との上下方向におけるピッチより大きい。前記圧着部64は、前記絶縁性本体1の頂壁11当接される。前記接地弾性アーム63の間には、さらに係着臂65が設けられ、前記係着臂65は、前記絶縁性本体1に係着される。  
【００２６】
前述した実施例は、本発明の一部の実施形態であり、すべての実施形態ではなく、当業者の本発明の明細書基づいてなされた変化などは、いずれも本発明の権利範囲に含まれるべきである。   
【符号の説明】
【００２７】
2018006345.tif 000003
【図１】
2018006345.tif 000004
【図２】
2018006345.tif 000005
【図３】
2018006345.tif 000006
【図４】
2018006345.tif 000007
【図５】
2018006345.tif 000008
【図６】
2018006345.tif 000009
【図７】
2018006345.tif 000010
【図８】
2018006345.tif 000011
【外国語明細書】
2018006345000001.pdf